(57)【要約】【課題】  ＳＩＭカード等のメモリカードの着脱口を携帯端末の外面に設けるとともに、簡易な構造により非通電状態でメモリカードの着脱を行うことのできる携帯端末を提供することを目的とする。【解決手段】  携帯端末１０１の本体側筐体１にＳＩＭカード９を着脱する開口部１ａを設け、開口部１ａにはスライド機構によりキャップ４を開閉可能に設け、電池７を装着した状態では開口部１ａを覆うキャップ４のスライドによる開口動作が抑制されるように、キャップリブ４ａが設けられる。【選択図】        図２
2008263490.tif 000002
【特許請求の範囲】
【請求項１】
筐体と、
この筐体に設けられた開口部と、
この筐体内に着脱可能に配設される電池部と、
前記開口部を覆って開閉自在に設けられ、前記電池部を装着した状態では当該電池部の表面と当接して開口動作が抑制される蓋部とを備えた携帯端末。
【請求項２】
蓋部は、突起状部を有し、この蓋部の突起状部が装着された電池部の表面に当接することにより開口動作が抑制されることを特徴とする請求項１に記載の携帯端末。
【請求項３】
蓋部の開口動作は、スライド動作であることを特徴とする請求項１又は請求項２に記載の携帯端末。
【請求項４】
蓋部の開口動作は、回動動作であることを特徴とする請求項１又は請求項２に記載の携帯端末。
【発明の詳細な説明】
【技術分野】
【０００１】
本発明は、携帯電話機等の携帯端末に関し、特にＳＩＭカード等、情報を記憶するメモリカードを装着して使用する携帯端末に関するものである。
【背景技術】
【０００２】
近年、携帯電話機は、欧州の通信システムであるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）を始め、日本国内の通信システムにおいてもＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）等の通信システムで、携帯電話機の電話番号、電話帳等の情報を記憶したＳＩＭ（Ｓｕｂｓｃｒｉｂｅｒ  Ｉｄｅｎｔｉｔｙ  Ｍｏｄｕｌｅ）カード
を利用するようになっている。
【０００３】
従来、携帯電話機に用いられるＳＩＭカードは、着脱時に携帯電話機の本体から電池を外し、その時に現れるＳＩＭカード着脱口あるいは接触装置から、ＳＩＭカードを着脱していた。接触装置内部ではＳＩＭカードに通電を行うため、通電中にＳＩＭカードが着脱される「活線挿抜」が行われると、回路及びＳＩＭカードの破損につながるおそれがあり、ＳＩＭカードの着脱時は通電を切るために電池を外すという方法（例えば、特許文献１参照）をとっていた。
【０００４】
また、電池を外さずにＳＩＭカードを着脱する場合としては、ＳＩＭカード着脱口の内部に接触検知手段等を備えることにより、ＳＩＭカードの装着の有無を検知して通電及び非通電を切り替える方法（例えば、特許文献２参照）をとっていた。
【０００５】
【特許文献１】特開２００２−２１０８３２号公報（００１３〜００１６段、図１）
【特許文献２】ＷＯ００−４６７４４号公報（第１０頁第２行目〜第１６行目、第６図、第７図）
【発明の開示】
【発明が解決しようとする課題】
【０００６】
しかしながら、特許文献１に示されている方法では、携帯電話機の内部にＳＩＭカードを配置することから、ＳＩＭカードの着脱口が電池の下又は横に設けられていたため、ＳＩＭカードを装着する空間及び着脱する空間が必要となり、ＳＩＭカード着脱口及び接触装置の配置位置が制限されるという問題があった。
【０００７】
また、特許文献２に記載されている方法では、ＳＩＭカード着脱口及び接触装置の配置位置に制限はないが、ＳＩＭカードの装着の有無を検知するための接触検知手段等を備える必要があり、軽薄短小化が要求される携帯電話機において接触検知手段等のための回路及び部品等のスペースを確保しなければならないという問題があった。
【０００８】
本発明は、上記のような問題を解決するためになされたものであり、ＳＩＭカード等のメモリカードの着脱口を携帯端末の外面に設けるとともに、簡易な構造により非通電状態でメモリカードの着脱を行うことのできる携帯端末を提供することを目的とする。
【課題を解決するための手段】
【０００９】
本発明に係る携帯端末は、筐体と、筐体に設けられた開口部と、筐体内に着脱可能に配設される電池部と、開口部を覆って開閉自在に設けられ、電池部を装着した状態では電池部の表面と当接して開口動作が抑制される蓋部とを備えたものである。
【発明の効果】
【００１０】
本発明によれば、携帯端末の外面にメモリカードの開口部を配設し、電池の装着によりメモリカードの開口部を覆う蓋部の開口動作が抑制されるように蓋部を設けることにより、電池の装着状態でメモリカードの飛び出しを防止でき、メモリカード着脱口及び接触装置の配置においては配置位置の選択の幅を広げることができる。また、接触検知手段等のための回路及び部品等の削減を図ることができる。
【発明を実施するための最良の形態】
【００１１】
以下、本発明に係る携帯端末の各種実施の形態について、図面に基づいて説明する。
実施の形態１．
図１は、本実施の形態１における携帯端末１０１の構成を示す外観斜視図であり、図２は、図１のＡ−Ａにおける矢視断面図である。
【００１２】
図１において、携帯端末１０１は、スライド型携帯電話機であり、本体側筐体１、表示側筐体２から構成されている。図１では本体側筐体１と表示側筐体２が開いた状態を示す。なお、携帯電話機の形態は、スライド型に限るものではなく、折り畳み型、リボルバー型、又はストレート型でもよい。
【００１３】
本体側筐体１には、数字キーとしての第一の操作部５１、マイク３、キャップ４で覆われたＳＩＭカードを挿入するための開口部１ａ等が備えられている。表示側筐体２には、液晶表示部５、ファンクションキーとしての第二の操作部５２、レシーバー６等が備えられている。
【００１４】
図２においては、本体側筐体１の内部に設けられている回路基板（図示せず）の端部で、電池７の近傍に、メモリカードとしてのＳＩＭカードのコネクタ８が着脱口８ａを外側に向けて設けられている。
【００１５】
ＳＩＭカードのコネクタ８は、内部に複数の接続端子が設けられており、ＳＩＭカード９が装着されると、ＳＩＭカード９に設けられている対応する複数の接続端子とそれぞれ接触して電気的に接続される。
【００１６】
本体側筐体１は、ＳＩＭカードのコネクタ８に対応して着脱口８ａの前面には、ＳＩＭカード９の着脱に際して交差する本体側筐体１の側面となる位置に、開口部１ａが設けられている。開口部１ａには、蓋部としてのキャップ４がスライド機構により開閉可能に設けられている。キャップ４は、ＳＩＭカードのコネクタ８に装着されたＳＩＭカード９を覆い、ＳＩＭカード９の飛び出しを防ぐ。
【００１７】
キャップ４には、本体側筐体１側に突起部としてのキャップリブ４ａが設けられている。キャップ４は、開口部１ａを覆った状態で、Ｂ方向にスライドして開口部１ａを開口することを抑制するように、電池７の側面に当設する位置にキャップリブ４ａが配設されている。
【００１８】
次に、動作について説明する。図３は、図１のＡ−Ａにおける矢視断面図であり、本実施の形態１における携帯端末１０１の動作を説明する図である。携帯端末１０１に装着されている電池７（図２参照）が取り外されることにより、図３に示すように、キャップリブ４ａはスライド移動が抑制された状態から開放された状態となり、キャップ４はＢ方向へスライド移動し、開口部１ａが開口される。
【００１９】
開口部１ａが開口された状態で、ＳＩＭカード９は着脱口８ａより着脱される。着脱操作後、キャップ４をＢ方向と反対方向にスライド移動することにより開口部１ａは再び覆われ、電池７を再び装着することによりキャップ４の開口が抑制される。
【００２０】
以上のように、本実施の形態１では、本体側筐体１の外面となる位置にＳＩＭカード９を着脱する開口部１ａを設け、電池７の装着により開口部１ａを覆うキャップ４のスライドによる開口動作が抑制されるようにキャップリブ４ａを設けるようにしたので、電池の装着状態でＳＩＭカードの飛び出しを防止でき、ＳＩＭカード着脱口及びコネクタの配置においても配置位置の選択の幅を広げることができる。また、接触検知手段等のための回路及び部品等の削減を図ることができる。
【００２１】
実施の形態２．
本実施の形態１の携帯端末１０１においては、スライド機構により開口部１ａを覆うキャップ４を設ける場合について示したが、本実施の形態２では、回動機構により開口部を覆うキャップを設ける場合について示す。
【００２２】
図４は、本実施の形態２における携帯端末１０２の構成を示す外観斜視図である。図５（ａ）は、図４のＡ−Ａにおける矢視断面図であり、図５（ｂ）は、図４のＣ−Ｃにおける矢視断面図である。図４において、実施の形態２は、実施の形態１の携帯端末１０１で、キャップ４の代わりに、回動機構により開閉可能に設けられたキャップ１０を備えたものである。
【００２３】
図５（ａ）において、キャップ１１には、本体側筐体１側に突起部としてのキャップリブ１０ａが設けられている。キャップ１０は、図５(ｂ)に示すように、開口部１ａを覆った状態で、軸１１を回動軸としてＤ方向に回動して開口部１ａを開口することを抑制するように、電池７の下面に当設する位置にキャップリブ１０ａが配設されている。その他の構成に関しては、実施の形態１と同様であり、相当部分には図１及び図２と同一符号を付して説明を省略する。
【００２４】
次に、動作について説明する。図６（ａ）及び図６（ｂ）は、本実施の形態２における携帯端末１０３の動作を説明する図である。図６（ａ）は、図４のＡ−Ａにおける矢視断面図であり、図４のＣ−Ｃにおける矢視断面図である。
【００２５】
携帯端末１０２に装着されている電池７（図５（ａ）及び図５（ｂ）参照）が取り外されることにより、図６（ａ）及び図６（ｂ）に示すように、キャップリブ１０ａは回動移動が抑制された状態から開放された状態となり、キャップ１０はＤ方向へ回動移動し、開口部１ａが開口される。
【００２６】
開口部１ａが開口された状態で、ＳＩＭカード９は着脱口８ａより着脱される。着脱操作後、キャップ１０をＤ方向と反対方向に回動移動することにより開口部１ａは再び覆われ、電池７を再び装着することによりキャップ１０の開口が抑制される。
【００２７】
以上のように、本実施の形態２では、本体側筐体１の外面となる位置にＳＩＭカード９を着脱する開口部１ａを設け、電池７の装着により開口部１ａを覆うキャップ１０の回動による開口動作が抑制されるようにキャップリブ１０ａを設けるようにしたので、電池の装着状態でのＳＩＭカードの飛び出し防止、ＳＩＭカード着脱口及びコネクタの配置における配置位置の選択幅の拡大、及び接触検知手段等のための回路及び部品等の削減とともに、キャップの大きさ及び動作領域を小さくすることができ、コンパクト化を図ることができる。
【００２８】
実施の形態３．
本実施の形態１の携帯端末１０１においては、引き戸式のスライド機構により開口部１ａを覆うキャップ４を設ける場合について示したが、本実施の形態３では、引き出し式のスライド機構により開口部を覆うキャップを設ける場合について示す。
【００２９】
図７は、本実施の形態３における携帯端末１０３の構成を示す外観斜視図である。図８（ａ）は、図７のＡ−Ａにおける矢視断面図であり、図８（ｂ）は、図７のＥ−Ｅにおける矢視断面図である。図８（ａ）において、開口部１ａは、本体側筐体１の内部に装着されている電池７の側面に設けられ、引き出し可能なキャップ１２を備えている。
【００３０】
キャップ１２はトレイ１２ａが設けられており、トレイ１２ａはＳＩＭカード９を装着するＳＩＭカード９と同等の形状を有する穴部１２ｂを備えている。トレイ１２ａは、キャップ１２が閉じた状態で電池７と本体側筐体１の間に収納される。
【００３１】
トレイ１２ａは、キャップ１２の開閉とともにＳＩＭカード９を着脱し、また、収納時には実施の形態２におけるＳＩＭカードのコネクタ８の代替ともなる。ＳＩＭカード９に設けられている複数の接続端子は、トレイ１２ａとともに収納された状態で本体側筐体１側に設けられている対応する複数の接続端子とそれぞれ接触して電気的に接続される。
【００３２】
トレイ１２ａは、電池７と重なる領域に切り欠き部１２ｃが設けられている。図８（ｂ）に示すように、トレイ１２ａは、収納された状態で電池７を装着することにより、電池７に設けられている突起部７ａが切り欠き部１２ｃと係合し、キャップ１２の開口動作を抑制する。
【００３３】
次に、動作について説明する。携帯端末１０３に装着されている電池７が取り外されることにより、突起部７ａが切り欠き部１２ｃから外れる。トレイ１２ａは引き出し移動が抑制された状態から開放された状態となり、キャップ１２は図８（ａ）に示すＦ方向へ引き出し移動し、開口部１ａが開口される。
【００３４】
開口部１ａが開口された状態で、トレイ１２ａの穴部１２ｂに装着したＳＩＭカード９が着脱される。着脱操作後、キャップ１２をＦ方向と反対方向に移動することにより開口部１ａは再び覆われ、電池７を再び装着することによりキャップ１２の開口が抑制される。
【００３５】
なお、キャップ１２は、引き出し移動として説明したが、電池７を取り外した状態で開閉移動させることから、トレイ１２ａの端部１２ｄを押し出す動作により開口することもできる。この場合、開口動作が容易となるだけでなく、キャップ１２の意匠面に開口のための取っ手等を設ける必要がなく、意匠性の向上に効果的である。
【００３６】
以上のように、本実施の形態３では、本体側筐体１の外面で電池７の側面となる位置にＳＩＭカード９を収納するための開口部１ａを設け、電池７の装着により開口部１ａを覆うキャップ１２の引き出しによる開口動作が抑制されるようにトレイ１２ａを設けるようにしたので、電池の装着状態でのＳＩＭカードの飛び出し防止、ＳＩＭカード着脱口及びコネクタの配置における配置位置の選択幅の拡大、及び接触検知手段等のための回路及び部品等の削減を図れるとともに、トレイ１２ａにＳＩＭカード９を装着する穴部１２ｂを設けるようにしたので、キャップの引き出し移動と同時にＳＩＭカードを着脱すことができる。
【００３７】
また、電池を取り外した状態でキャップを開閉移動させることから、トレイの端部を押し出す動作により容易に開口することができ、キャップの意匠面に開口のための取っ手等を設ける必要がなく意匠性の向上を図ることができる。
【００３８】
また、トレイがコネクタの代替としてキャップと一体化したことにより、部品点数の削減を図ることができる。
【図面の簡単な説明】
【００３９】
【図１】本発明に係る携帯端末の実施の形態１の構成を示す外観斜視図である。
【図２】本発明に係る携帯端末の実施の形態１の構成を示す断面図である。
【図３】本発明に係る携帯端末の実施の形態１の動作を示す断面図である。
【図４】本発明に係る携帯端末の実施の形態２の構成を示す外観斜視図である。
【図５】本発明に係る携帯端末の実施の形態２の構成を示す断面図である。
【図６】本発明に係る携帯端末の実施の形態２の動作を示す断面図である。
【図７】本発明に係る携帯端末の実施の形態３の構成を示す外観斜視図である。
【図８】本発明に係る携帯端末の実施の形態３の構成と動作を示す断面図である。
【符号の説明】
【００４０】
１  本体側筐体
１ａ  開口部
４、１０、１２  キャップ
４ａ、１０ａ  キャップリブ
７  電池
８  コネクタ
９  ＳＩＭカード
１２ａ  トレイ
１０１、１０２，１０３  携帯端末
【図１】
2008263490.tif 000003
【図２】
2008263490.tif 000004
【図３】
2008263490.tif 000005
【図４】
2008263490.tif 000006
【図５】
2008263490.tif 000007
【図６】
2008263490.tif 000008
【図７】
2008263490.tif 000009
【図８】
2008263490.tif 000010